(57)【要約】装置は、患者から超音波画像を連続的に生じ、超音波画像から診断データを連続的に抽出する、患者のモニターシステムに統合された超音波画像ユニットを含む。
2006505294.tif 000002
【特許請求の範囲】
【請求項１】
装置と、
患者のモニターシステムと、
患者から連続的に超音波画像を収集し、連続的に該超音波画像から診断データを抽出するために該超音波画像を処理する、前記患者のモニターシステムに接続された超音波ユニットと、
を有する装置。
【請求項２】
前記超音波画像ユニットは、プラグインユニットであることを特徴とする請求項１に記載の装置。
【請求項３】
前記超音波画像ユニットは、小型の独立型超音波画像ユニットであることを特徴とする請求項１に記載の装置。
【請求項４】
前記超音波画像ユニットは、自動的な境界抽出アルゴリズム、局所的壁運動アルゴリズム、自動利得制御アルゴリズム、キネシス測定又は生理学的な測定の少なくとも一つを連続的に実行することを特徴とする請求項１乃至３の一つに記載の装置。
【請求項５】
前記超音波画像ユニットは、該超音波画像ユニットに統合された通信チャンネルを使用して、前記診断データを遠隔地の人間に連続的に送信することを特徴とする請求項１乃至３の一つに記載の装置。
【請求項６】
前記遠隔地の人間は、前記超音波画像から前記診断データの連続的な抽出を通信チャンネルを介して遠隔制御することを特徴とする請求項５に記載の装置。
【請求項７】
前記超音波画像ユニットは、モニターされることを必要とする前記患者の心臓の領域を自動的に決定することを特徴とする請求項１に記載の装置。
【請求項８】
前記超音波画像ユニットはさらに、遠隔地の人間に通信チャンネルを介して無効にさせる遠隔優先機能を有し、モニターされることを必要とする前記患者の心臓の領域を自動的に決定することを特徴とする請求項７に記載の装置。
【請求項９】
遠隔地の人間は、前記超音波画像ユニットの通信チャンネルを介して、前記超音波画像ユニットに結合されたプローブを操作することを特徴とする請求項１乃至３の一つに記載の装置。
【請求項１０】
前記超音波画像ユニットは、前記超音波画像及び前記診断データの少なくとも一つを病院のネットワークにダウンロードする通信チャンネルを有することを特徴とする請求項１乃至３の一つに記載の装置。
【請求項１１】
前記患者のモニターシステムは、血圧モジュール並びに患者の血圧及びＥＣＧ信号をモニターするＥＣＧモジュールの少なくとも一つを有するモジュールにプラグするスロットを有することを特徴とする請求項１乃至３の一つに記載の装置。
【請求項１２】
スクリーン上に前記超音波画像及び前記診断データを表示する表示スクリーンをさらに有することを特徴とする請求項１乃至３の一つに記載の装置。
【請求項１３】
患者のモニターデータ及び関連するトレンドライン並びに前記超音波画像及び該超音波画像から抽出した関連するトレンドラインを表示する分割スクリーンディスプレイをさらに有することを特徴とする請求項１２に記載の装置。
【請求項１４】
患者のモニターデータ及び前記超音波画像を伴う関連するトレンドライン及び該超音波画像から抽出した関連するトレンドラインを表示するウィンドウ内のウィンドウディスプレイをさらに有することを特徴とする請求項１２に記載の装置。
【請求項１５】
前記装置は、患者の生理学的なパラメータが所定の閾値を超えたことを提示するアラームを有し、該アラームは前記超音波画像又は心拍血液量、心拍、若しくは血圧を有する前記診断データによって引き起こされることを特徴とする請求項１乃至３の一つに記載の装置。
【請求項１６】
超音波画像ユニットを患者のモニターシステムに統合することと、
前記超音波画像ユニットを患者に接続することと、
前記患者から超音波画像データを連続的に収集することと、
を有する方法。
【請求項１７】
前記超音波画像データから診断データを生じるために前記超音波画像データを処理することをさらに有する請求項１６に記載の方法。
【請求項１８】
通信チャンネルを使用して別の場所の人間に対して前記診断データを連続的に送信することをさらに有する請求項１７に記載の方法。
【請求項１９】
前記診断データを分析し、該診断データから前記患者の治療処置を決定することをさらに有する請求項１８に記載の方法。
【発明の詳細な説明】
【技術分野】
【０００１】
本発明は、超音波画像システムに関する。
【背景技術】
【０００２】
臨床環境で使用される従来の超音波画像システムは、典型的には診断の画像獲得に専心的な独立型器機として現在操作される。このモードの操作において、超音波画像システムは、患者を診断する短期間において通常は使用される。さらに、超音波画像システムは、特定の病理をモニターする集中診断システムである。この使用法の例外は、臨床の観察者による有効な観察の下で外科的処置の期間における心臓活動をモニターするための手術室環境の食道通過型（transesophageal）超音波心臓診断図（ＴＥＥ）プローブの使用である。ＴＥＥは、患者の喉又は鼻を下って超音波プローブを挿入することにより、心臓病学者が心臓の内部構造及び心臓の主な血管の画像を見ることを可能にする試験である。例えば、患者はＴＥＥプローブを使用して、心房の血栓において評価される。
【０００３】
しかしながら、ＴＥＥ試験は４時間乃至６時間かかるかもしれないが、ＴＥＥ試験の全期間において心臓はモニターされない。むしろ、心臓の断続的な画像のスナップショットが得られて画像が比較されて、例えば、手術前の心臓の画像のスナップショットは、術後の心臓の画像と比較される。従来の超音波画像システムが病院の情報ネットワークに接続されてもよいが、情報ネットワークは、如何なる診断作業又は患者の管理をするためでなく、画像をアーカイブするために主に使用される。さらに、現行の超音波画像システムのサイズ及び複雑さは、長期的に患者をモニターする適用のための現在の使用を排除する。
【０００４】
現代の超音波画像システムの設計は、急進的に縮小されたサイズ及び複雑さのシステムに向かっている。加えて、超音波画像システムでの制御アルゴリズムの増加した複雑化は、超音波画像システムを個々の被験者によって示される画像環境に対してさらなる自己適応を可能にする。さらに、超音波画像からの情報抽出の技術の進歩は、超音波画像データから生理学の改善された自動決定を機能的に可能にする。
【発明の開示】
【発明が解決しようとする課題】
【０００５】
したがって、医師に超音波画像ユニットから生じる画像から患者の生理的機能を連続的にモニターすることを可能にするために患者のモニターシステムに統合された超音波画像増強ユニットを開発することを必要とする。超音波画像ユニットのユーザを緊急処置室の診断の状況に制限するのではなく、超音波画像ユニットは、集中治療回復状況でのように患者の急性でない条件のモニターを可能とするであろう。
【課題を解決するための手段】
【０００６】
典型的な実施態様において、本発明は、患者のモニターシステムと、患者のモニターシステムに統合された、患者から超音波画像を連続的に生じ、且つ超音波画像から診断データを連続的に抽出する超音波画像ユニットと、を含む装置を提供する。
【０００７】
さらに本発明は、患者のモニターシステムと、患者のモニターシステムに接続された、患者から超音波画像を連続的に収集し、且つ超音波画像から診断データを連続的に抽出するように超音波画像を処理する小型の独立型超音波画像ユニットと、を含む装置を含む装置を提供する。
【０００８】
本発明はまた、方法によって達成される。かかる方法は、患者のモニターシステムに超音波画像ユニットを統合すること、患者に超音波画像ユニットを接続すること、患者から超音波画像データを連続して収集すること、超音波画像データから診断データを生じるために超音波画像データを処理すること、人又は別の場所の遠隔の診断システムに通信チャンネルを使用して診断データを連続的に送信すること、及び診断データを解析し、且つ診断データから患者のための医療を決定することを含む。
【０００９】
後に明らかとなる上述に加えた他の目的と利点は、当該明細書の一部を構成する添付図を参照して下記においてより完全に記載されるような構成及び操作の詳細な記載に帰する。同一の参照番号は、全体を通して同様の部分を示す。
【００１０】
本発明の利点は、添付図を参照して好ましい実施態様の下記の記載において、より容易に認識されて、明らかとなるであろう。
【発明を実施するための最良の形態】
【００１１】
本発明の典型的な実施例がここで詳細に言及され、その実施例は添付図で例証され、同一の参照番号は全体を通して同様の要素を示す。
【００１２】
患者をモニターする機能は、例えば、集中治療ユニット、外科回復ユニット、個々の患者のモニターなど臨床の使用法の多数の異なる設備で様々な患者に対して日常的に実行される。患者をモニターする機能から得られるパラメータは、典型的には、心臓の機能（つまり、ＥＫＧ、血圧など）、温度、呼吸、胎児の活動などである。それらのパラメータは連続的な期間で得られる。対照的に、診断画像獲得のための超音波画像試験は、典型的には、散発的な時間に導かれる。それにも関わらず、超音波画像は、モニターする連続的な期間を要求する患者のモニター中に測定されたパラメータに潜在的に価値のある付属物を提供する。患者の心臓状態をモニターする場合、超音波画像から抽出されるかもしれない心拍血液量のようなパラメータは有用となり得る。
【００１３】
例えば、回復状況で、薬物治療が、心臓の壁運動異常を修正するために患者に供給される場合、薬物治療が有効だったかどうか断定することが必要である。超音波画像は、薬物治療が患者に効果的であるかどうかをモニターするために使用されてよい。しかしながら、薬物治療が有効だったかどうかを断定することは、心臓が連続的な期間にモニターされることを必要とする。したがって、本発明と一致する超音波画像増強ユニットは、薬物治療の有効性をモニターするのに必要な連続的な期間において超音波画像試験を実行するであろう。
【００１４】
様々なアルゴリズムは、患者のモニター機能に適用されるように超音波画像ユニットに適用され得る。そのような適用は、患者と常に存在されるソノグラファー（sonographer）を要求する従来の診断画像状況よりも超音波画像ユニットのさらにより多くの自律な操作を可能にする。
【００１５】
超音波画像ユニットは、画像利得、コントラストなどを最適化するために従来の自動利得制御を実行してよい。自動利得制御は、最小限のマニュアル介在で超音波画像を得るため、長期にわたって画質を維持するため、及び患者の動きを補償するために超音波画像ユニットの初期のセットアップで有用であり得る。
【００１６】
超音波画像の患者のモニターパラメータから連続的に抽出するために超音波画像ユニットに修正し実行する従来のアルゴリズムは、例えば、自動的な境界抽出アルゴリズム及び領域壁運動アルゴリズムである。自動的な境界抽出アルゴリズムは、偏差に心臓をモニターする適用のためのいくつかの臨床的に有用な測定を与えて、心室の境界を描写する。従来の統合されたバックスキャター方法は、そのような境界の認識のために採用されてよい。さらに、組織運動のキネシス測定は、ドップラーの技術又は他の技術を利用して、収縮性測定を連続的に得るために超音波画像ユニットで使用されてもよい。既に上述したように、現行の超音波のモニターシステムは、非連続的な手法でアルゴリズムを実行する。本発明の超音波画像ユニットは、連続的な手法でアルゴリズムを実行することによって、上述したアルゴリズムを修正する。したがって、本発明は、医者が患者の超音波画像の生理学的なデータから連続的に抽出するようにできる超音波画像ユニットを提供する。何時間又は何日もかけて連続的に収集した、このデータは、生理的機能の長期的な傾向分析を生じ得る。介在効果のフィードバック情報を提供する干渉の手段に対して、そのような傾向データを関連させることができ得る。そのような超音波に基づくフィードバックは、現行の断続的な画像方法論から得ることは非常に困難である。
【００１７】
現行の超音波システムにおいて、一旦ユーザが超音波システムを患者に接続するか、又はＴＥＥプローブが患者に挿入されると、アルゴリズムが分析するために制限される、心臓の特異的な領域を定義するために、ユーザはカーソル又はマーカーを心臓の画像上に配置する。一旦、ユーザがモニターされるべき心臓の特定領域を決定すると、ユーザは実行されるべき特定のアルゴリズムを選択する。実行の段階において、アルゴリズムは必要な情報を抽出し、数値的な数又は心臓の鼓動に基づくことによって心臓の鼓動における心臓対時間の反応の短波形を出力する。
【００１８】
対照的に、本発明の超音波画像ユニットは、ユーザの介在とユーザの知識をそれほど必要としない。特に、一旦、ユーザが超音波画像ユニットを患者に接続するか、又はＴＥＥプローブが患者に挿入されると、超音波画像ユニットは自動的に分析し、モニターすることを必要とする心臓の領域を決定する。表示ユニットにおいて、ユーザは、注意を必要とする超音波画像ユニットのアルゴリズムによって決定される窓又は領域を見ることができ得る。超音波画像ユニットは、ユーザに心拍血液量、収縮性などのような患者の心臓の機能が、所定の閾値を超過したかどうか示すアラームを組込んでよい。したがって、超音波画像ユニットは連続的に患者のモニター情報を得られ、瞬間のデータではなく傾向データとして情報を示す。
【００１９】
超音波画像ユニットは、遠隔モニターのための病院ネットワークに接続されてもよい。超音波画像ユニットは、病院のネットワークの患者のモニター情報にダウンロードするために通信チャンネルを含んでもよい。したがって、超音波画像ユニットの制御は、“賢い”制御アルゴリズムとして超音波画像ユニットに含まれ、かつ、病院の中央ステーションから遠隔制御されて、自律であってよい。さらに、本発明の超音波画像ユニットは、医者が超音波画像ユニットから提供される情報を好きでない場合に、医者は手動で無効にし、遠隔で超音波画像ユニットを制御してよい、遠隔優先機能を提供する。したがって、本発明の超音波画像ユニットは、医者が中央ステーションから複数の患者をモニターし、超音波画像を連続して最適化するように患者のモニターユニットを遠隔で制御する際にフレキシブルであり、それによって、各患者から最適化した生理学的な情報を得る。
【００２０】
通信ネットワークを介する情報のダウンロードは、画像から派生する情報又は他の超音波情報をモニターする、基本的な画像を含んでよい。超音波画像ユニットはそれ自体の装置であってよく、モニター情報又は超音波画像は中央ステーションに直接的にダウンロードされ、遠隔情報プロセッサからモニター情報を導くために中央ステーションでの遠隔情報プロセッサによって処理される。
【００２１】
図１は、患者のモニターユニット２０の病床にプラグされた、プラグインモジュール１０として、超音波画像ユニットを含むシステムの実施態様の概略図である。ケーブル２５は、超音波のプラグインモジュール１０から、ＴＥＥプローブ３０などのプローブ又は心臓の活動をモニターする患者の内視鏡に接続される。そのようなプローブは、連続した期間において領域をモニターするために患者の口又は鼻を介して挿入可能であってよい。ＴＥＥプローブ３０は、超音波のプラグインモジュール１０の通信チャンネルを介して中央ステーションから遠隔に操作若しくはモニターされてよく、又はＴＥＥプローブ３０は、異なる視界を得るために患者のモニターユニット２０の病床から操作されてよく、さらに心臓の最適な視界を得るために心臓の特定領域までＴＥＥプローブ３０の変換器を導いてよい。通信チャンネルは、通信ケーブル、赤外線（ＩＲ）ポート、電話モデム、無線モデム、又はビジネスイントラネット接続を含んでよい。したがって、患者のモニターユニット２０からの出力は、患者のモニター活動のために超音波画像から派生する情報に対して直ちにアクセスを可能にする臨床機関などの中央位置の通信ネットワークに接続されてよい。
【００２２】
患者のモニターユニット２０は、医者が病床でモニターするディスプレイ３５を含むモジュラー装置である。複数の小型のモジュール４０は、患者のモニターユニット２０内の様々なスロットにプラグして提供される。例えば、患者のＥＣＧがモニターすることにとって必要である場合、ＥＣＧモジュール５０は患者のモニターユニット２０にプラグされる。ケーブル６０は、ＥＣＧモジュール５０から患者の電極に接続される。同様に、医者が血圧をモニターする場合、血圧モジュール７０は患者のモニターユニット２０にプラグされて、ケーブル８０は血圧モジュール７０から患者の圧力変換器（示されていない）に接続される。この場合、超音波画像から患者情報を抽出するアルゴリズムは記憶され、超音波のプラグインモジュール１０によって、患者のモニターユニット２０によって、又は遠隔位置のリモートプロセッサによって実行される。アルゴリズムは超音波ディスプレイを発生し、連続的な手法で圧力波形、心臓の波形、及び超音波波形を処理する。さらに、アルゴリズムは患者のモニター情報を提供するために画像情報を処理し得る。患者のモニターユニット２０で受け取られ及び／又は処理された情報は、中央ステーションでリモートプロセッサにダウンロードされてもよく、中央ステーションでの所見のために表示されてもよい。
【００２３】
超音波画像ユニットから得られた情報は、臨床スタッフによって分析するためのトレンドライン（trend line）データを生成するために使用されてよい。さらに、患者のモニターシステムに実行されてよい他のアルゴリズムから得られた他の臨床のデータに、前述の得られた情報を統合することができ得る。例えば、圧力データへの心拍血液量の組合せは、心臓の仕事量の能力の分析での有用性を証明でき得る。
【００２４】
プロセッサが、患者の診断が所定の閾値を超える波形から決定する場合、アラームは病床及び／又は中央ステーションで引き起こされてよい。中央ステーションの医者は、画像を最適化する超音波画像を操作し、ＴＥＥプローブ３０を操作し、又はさらなる試験を指令するためにネットワークを介して患者のモニターユニット２０までフィードバック信号を送信してよい。
【００２５】
図２は、独立型超音波画像ユニット９０の実施態様の概略図である。独立型超音波画像ユニット９０は、患者のモニターユニット２０に接続される。患者のモニターユニット２０と、超音波画像ユニット９０と、中央ステーションとの間の制御、操作、及び患者情報の交換は図１に記載される。
【００２６】
患者のモニターユニット２０及び超音波画像ユニット９０のそれぞれは独立してもよく、又は、患者のモニター情報を中央ステーションまで同時にダウンロードしてよい。超音波画像ユニット９０は患者のモニター情報を生じるように得られた超音波画像を処理してもよく、又は画像を患者のモニターユニット２０又は処理するための中央ステーションまでダウンロードしてよい。ケーブル９６は、食道に存在する鼻の通路を通じて患者に入り、超音波画像ユニット９０から鼻腔通過型（trans-nasal）ＴＥＥプローブまで接続される。
【００２７】
図２において、超音波画像ユニット９０は占有の表示ユニットとして例示される。患者のモニターユニット２０の個別の表示ユニット９２は、ＥＣＧモジュール５０及び血圧モジュール７０からの波形を表示する。患者のモニター表示ユニット９２はまた、画像又はデータから派生した超音波を表示するように使用されてよい。超音波の画像ユニット９０は、異常な心臓壁の動きを決定するアルゴリズムである、音の定量化又は色キネシスか、あるいは局所的壁運動などの精巧な画像復調技術を含んでよい。前述の精巧な画像復調技術は、局所的な処理又は遠隔処理能力のいずれかによって超音波画像情報に適用され得る。
【００２８】
図１及び図２に示されるいずれかの超音波画像ユニットは、例えば、ユーザが、心臓の活動のモニターにおいて専門性を有することが必要とされない際の歩行の乗り物に組み入れられてよい。ユーザは、例えば、医者が画像を読むことができ、且つ、患者からの連続する診断データを画像から獲得できる病院のネットワークまでＲＦ接続を介して画像をダウンロードし得る。次いで、医者は、患者の状態を連続してモニターする一方で、患者に治療または薬物治療を推薦するシステムのユーザと通信してもよい。代わりに、医者は超音波画像ユニットを遠隔制御してよい。
【００２９】
図３Ａは、ＥＣＧ及び血圧を含む患者の生理学的なパラメータと、スクリーンの一方の側の関連するトレンドラインとを表示する分割スクリーンディスプレイの概略図である。超音波画像及び超音波画像から抽出される関連するトレンドラインは、スクリーンのもう一方の側に示される。図３Ｂは、“ウィンドウ内のウィンドウ”ディスプレイを示す表示ユニットの概略図である。ここで、超音波画像及び超音波画像から抽出される関連するトレンドラインは、メインの患者のモニターウィンドウ内の小型ウィンドウとして示される。ＥＣＧ、血圧、及び関連するトレンドラインはまた、同一のディスプレイ上に表示される。
【００３０】
図４に例示されるように、本発明の方法の実施態様を例示するフローチャートが示される。操作１００において、超音波画像ユニット１０、９０のユーザは、ＴＥＥプローブ３０を患者に挿入する。操作１１０において、超音波画像ユニット１０、９０は連続的に超音波画像データを収集する。操作１２０において、超音波画像ユニット１０、９０、患者のモニターユニット２０、又は中央ステーションなどの遠隔処理ステーションは、診断データに収集された超音波画像データを連続的に処理する。操作１３０において、超音波画像ユニット１０、９０又は患者のモニターユニット２０は、診断データを分析するために、診断データを別の場所にいる医者に連続的に送信する。操作１４０において、診断データが患者の医療処置を決定するために適切である場合、次いで、操作１５０において、医者は患者のための治療処置をユーザに推薦する。そうでなければ、操作１４０から、方法は、診断データが連続的に獲得されるように手順が反復される操作１１０まで戻る。
【００３１】
したがって、本システムは、超音波画像から連続してリアルタイムで生理学的な情報を生じるように患者のモニターシステムに統合される、超音波画像ユニットに提供する。さらに、本発明によると、超音波画像ユニットは、医者が中央の場所から複数の患者をモニターすることができ、超音波画像ユニットを含む患者のモニターユニットを遠隔に制御できることによって、ユーザに対して柔軟性を提供する。本システムは、最適な超音波画像を生じるように超音波のモニターモジュールを自動的に管理、且つ制御できる。
【００３２】
本発明のわずかな好ましい実施態様が示されて記載されたが、本発明の原理及び趣旨、請求項及びそれらの等価によって定義された範囲を逸脱しない限り、この実施態様において修正がされてよいことを当業者によって認識される。
【図面の簡単な説明】
【００３３】
【図１】本発明と一致するプラグインモジュールとして超音波画像ユニットを含むシステムの実施態様の概略図である。
【図２】本発明と一致するスタンド・アロン超音波画像ユニットの実施態様の概略図である。
【図３Ａ】分割スクリーンディスプレイを示す表示ユニットを示す図である。
【図３Ｂ】“ウィンドウ内のウィンドウ”を示す表示ユニットを示す図である。
【図４】本発明の方法の実施態様を例証するフローチャートである。
【図１】
2006505294.tif 000003
【図２】
2006505294.tif 000004
【図３Ａ】
2006505294.tif 000005
【図３Ｂ】
2006505294.tif 000006
【図４】
2006505294.tif 000007
【国際調査報告】
2006505294.tif 000008
2006505294.tif 000009
2006505294.tif 000010